(57)【要約】【課題】軒樋支持具の施工誤り、梱包誤りなどにつながる組み合わせ誤りを抑制できる軒樋支持具を提供することである。【解決手段】軒樋支持具１０は、固定板部１３、及び、固定板部の外側面から突設し軒樋と係合して軒樋を支持するアーム２０を有する吊り具本体１２と、固定板部１３の内側面に重ねた状態で固定板部と一体化した板状の補助部材３０とを含む。補助部材３０は、厚み方向に貫通する貫通孔であって、直線状に延びる第１長孔部３３ａと、第１長孔部に接続された、第１長孔部とは異なる形状の第２孔部３３ｂ、または第１長孔部とは異なる方向に直線状に延びる第２長孔部とを有する非直線形状の貫通孔を含む。【選択図】図１Ｂ
2019206885.tif 000002
【特許請求の範囲】
【請求項１】
固定板部、及び、前記固定板部の外側面から突設し軒樋と係合して前記軒樋を支持するアームを有する吊り具本体と、
前記固定板部の内側面に重ねた状態で前記吊り具本体と一体化した板状の補助部材と、を備える軒樋支持具であって、
前記補助部材は、厚み方向に貫通する貫通孔であって、直線状に延びる第１長孔部と、前記第１長孔部に接続された、前記第１長孔部とは異なる形状の第２孔部、または前記第１長孔部とは異なる方向に直線状に延びる第２長孔部とを有する非直線形状の貫通孔を含む、
軒樋支持具。
【請求項２】
請求項１に記載の軒樋支持具において、
前記貫通孔は、数字の１の形状、前記第１長孔部に長円形の前記第２孔部が接続された形状、Ｔ字形状のいずれか１の形状である、
軒樋支持具。
【請求項３】
請求項１または請求項２に記載の軒樋支持具において、
前記補助部材は、透明または半透明の材料により形成される、
軒樋支持具。
【発明の詳細な説明】
【技術分野】
【０００１】
本開示は、軒樋支持具に関し、特に軒樋支持具の施工誤り、梱包誤りなどにつながる軒樋支持具における吊り具本体と補助部材との組み合わせ誤りの抑制に関する。
【背景技術】
【０００２】
従来、一般的に、屋根の軒先の下側には軒先構造体として鼻隠し板が設けられ、鼻隠し板には屋根から流れてくる雨水を受ける軒樋が取り付けられる。軒樋は、鼻隠し板に取り付けられた軒樋支持具によって支持される。
【０００３】
特許文献１には、軒樋を鼻隠し板に取り付けるための軒樋支持具について、鼻隠し板と反対側の表面に対する鼻隠し板側の裏面の勾配を、鼻隠し板の外側面の鉛直方向に対する勾配の角度に合わせる為の補助部材が記載されている。軒樋支持具は、補助部材と、補助部材の表面に支持し、軒樋を支持する吊り部（アーム）を有する吊り具本体とを含んで構成する。補助部材には、長孔形状の貫通孔が形成される。上記の補助部材によって、鼻隠し板に勾配がついていても、補助部材の表面、及び、この表面に配置する吊り具本体の固定板部を鉛直または略鉛直方向に配置できる。これにより、吊り具本体の吊り部により、軒樋を軒先に沿って水平に取り付けることができるとされている。
【先行技術文献】
【特許文献】
【０００４】
【特許文献１】特許第５２７５６３６号公報
【発明の概要】
【発明が解決しようとする課題】
【０００５】
特許文献１に記載された補助部材を用いて軒樋支持具を形成する場合、補助部材の表面に対する裏面の傾斜角度が異なる複数種類の補助部材を用意することで、様々な鼻隠し板の勾配に対応できる。しかしながら、複数種類の補助部材で表面に対する裏面の傾斜角度が微妙に異なる場合、吊り具本体に補助部材を間違って組み合わせてしまう可能性がある。このことは、軒樋支持具を鼻隠し板に取り付けるときの施工誤りにつながる。また、吊り具本体と補助部材との組み合わせ誤りは、軒樋支持具として組み合わせて梱包する際の梱包誤りにもつながる恐れがある。
【０００６】
本開示の目的は、軒樋支持具の施工誤り、梱包誤りなどにつながる組み合わせ誤りを抑制できる軒樋支持具、及び軒樋支持具の組み合わせ方法を提供することである。
【課題を解決するための手段】
【０００７】
本開示の一態様の軒樋支持具は、固定板部、及び、固定板部の外側面から突設し軒樋と係合して軒樋を支持するアームを有する吊り具本体と、固定板部の内側面に重ねた状態で吊り具本体と一体化した板状の補助部材と、を備える軒樋支持具であって、補助部材は、厚み方向に貫通する貫通孔であって、直線状に延びる第１長孔部と、第１長孔部に接続された、第１長孔部とは異なる形状の第２孔部、または第１長孔部とは異なる方向に直線状に延びる第２長孔部とを有する非直線形状の貫通孔を含む、軒樋支持具である。
【０００８】
本開示の一態様の軒樋支持具の組み合わせ方法は、固定板部、及び、固定板部の外側面から突設し軒樋と係合して軒樋を支持するアームを有する吊り具本体と、固定板部の内側面に重ねた状態で吊り具本体と一体化した板状の補助部材と、を備える軒樋支持具の組み合わせ方法であって、厚み方向に貫通する貫通孔を含む複数種類の板状の補助部材候補であって、固定板部側の表面に対する、固定板部と反対側の裏面の傾斜角度に応じて、貫通孔の形状が異なる複数種類の補助部材候補の中から、補助部材を選択し、選択した補助部材と吊り具本体とを組み合わせる、軒樋支持具の組み合わせ方法である。
【発明の効果】
【０００９】
本開示の一態様の軒樋支持具によれば、補助部材が長孔形状のみからなる貫通孔とは異なる非直線形状の貫通孔を有するので、補助部材の表面に対する裏面の傾斜角度を、長孔形状のみからなる貫通孔を有する補助部材と異ならせることにより、それぞれの貫通孔の形状を目視した場合に、裏面の傾斜角度が異なる補助部材を容易に判別できる。これにより、軒樋支持具の施工誤り、及び梱包誤りにつながる、軒樋支持具の補助部材と吊り具本体との組み合わせ誤りを抑制できる。また、本開示の一態様の軒樋支持具の組み合わせ方法によれば、複数種類の補助部材候補の貫通孔の形状を目視することで、裏面の傾斜角度が異なる補助部材候補を容易に判別できる。これにより、軒樋支持具の組み合わせ誤りを抑制できる。
【図面の簡単な説明】
【００１０】
【図１Ａ】実施形態の軒樋支持具により取り付けた軒樋を含む軒先構造の断面図である。
【図１Ｂ】図１Ａに示す軒樋支持具の分解斜視図である。
【図２】図１Ａにおいて軒樋を省略して示す図である。
【図３】図１Ａに示す軒樋支持具において、吊り具本体と補助部材とを重ね合わせて、軒側から見た透視図である。
【図４】図１Ａに示す軒樋支持具を構成する補助部材の斜視図である。
【図５】図４に示す補助部材の正面図である。
【図６】実施形態の組み合わせ方法を用いて、鼻隠し板に軒樋支持具を取り付ける方法を示すフローチャートである。
【図７】実施形態の組み合わせ方法を用いて吊り具本体と組み合わせた別例の補助部材を示す斜視図である。
【図８】図７に示した補助部材と吊り具本体とを組み合わせて構成した軒樋支持具を示している図２に対応する図である。
【図９】実施形態の別例において、補助部材に形成された貫通孔を示す図である。
【図１０】実施形態の別例において、補助部材に形成された貫通孔を示す図である。
【図１１】実施形態の別例の軒樋支持具において、図３に対応する図である。
【発明を実施するための形態】
【００１１】
以下、図面を参照しながら、本開示に係る軒樋支持具及び軒樋支持具の組み合わせ方法の実施形態を説明する。以下で説明する形状、個数、数値、材料等は、説明のための例示であって、軒樋支持具の仕様により適宜変更することができる。以下では全ての図面において同等の要素には同一の符号を付して説明する。また、本文中の説明においては、必要に応じてそれ以前に述べた符号を用いる。
【００１２】
図１Ａは実施形態の軒樋支持具１０により取り付けた軒樋５０を含む軒先構造５の断面図である。図１Ｂは、軒樋支持具１０の分解斜視図である。図２は、図１Ａにおいて軒樋を省略して示す図である。図３は、軒樋支持具１０において、吊り具本体１２と補助部材３０とを重ね合わせて、軒側から見た透視図である。図１Ａ〜図３に示すように、軒先構造５は、軒樋５０と、軒樋支持具１０とを含んで構成される。
【００１３】
軒樋５０は、屋根（図示せず）から落ちてくる雨水を受けるための長尺状の部材である。軒樋５０は、屋根の下側で建物の外端部に配置された横板である鼻隠し板４に、屋根の軒端に沿って取り付けられる。軒樋５０には、図示しない集水器、呼び樋等を介して建物に隣接して上下方向に配置された竪樋（図示せず）が接続される。軒樋５０が受けた雨水は、竪樋を介して建物の下側に流される。
【００１４】
軒樋５０は、鼻隠し板４に、長手方向（図１Ａの紙面の表裏方向）の複数位置に配置された後述の軒樋支持具１０と、ネジなどの固定具４６，４７，４８（図１、図３）とで固定されている。
【００１５】
軒樋５０は、長手方向に長いので、長手方向に分かれた複数の樋要素が、軒樋継手によって長手方向に接続して形成されてもよい。
【００１６】
軒樋５０は、軒側及び棟側の２つの壁部と、２つの壁部の下端を連結する底板とを含み、断面Ｕ字形で長尺状に形成され、上端が開口している。軒樋５０の軒側端部（図１Ａの左端部）の上端部には、開口内に向かって略Ｕ字形に折り返された前側耳部５１が形成される。軒樋５０の棟側端部（図１Ａの右端部）の上端部は、開口内に向かって略Ｕ字形に折り返された後側耳部５２が形成される。軒樋５０は、例えば樹脂により形成される。
【００１７】
図１Ｂに示すように、軒樋支持具１０は、吊り具本体１２と、補助部材３０とを含んで構成される。吊り具本体１２は、板状の固定板部１３と、アーム２０とを有する。固定板部１３は、外側面（図１Ａ〜図２の左側面）と、内側面（図１Ａ〜図２の右側面）との両側面が、略鉛直方向に沿って配置される。アーム２０は、固定板部１３の外側面の幅方向（図１Ａ、図２の紙面の表裏方向）における中間部から外側面に対し略直交する方向に突設し、軒樋５０（図１）と係合して軒樋５０を内側から支持する部分である。固定板部１３の幅方向は、軒樋長手方向と一致する。
【００１８】
アーム２０は、全体として複数位置で屈曲して形成される。アーム２０は、前後方向（図１Ａ〜図２の左右方向）中間部から、前側（図１Ａ〜図２の左側）に向かって上側に傾斜する傾斜部２１を有する。傾斜部２１の前端部で上端部には、略Ｌ字形の前側受け部２２が形成される。前側受け部２２の上面の後端部には、前側に伸びる突部２３が形成される。前側受け部２２には、軒樋５０の前側耳部５１が係止される。アーム２０の固定板部１３側の部分で、下側には、略Ｌ字形の後側受け部２４が形成される。後側受け部２４には、軒樋５０の後側耳部５２が係止される。これにより、アーム２０は、軒樋５０を支持する。
【００１９】
固定板部１３には、アーム２０を挟んで幅方向両側端部のそれぞれの上下に離れた位置に、厚み方向に貫通する第１貫通孔１４，１５が形成される。各第１貫通孔１４，１５には、固定具４６，４７（図１Ａ）が図１Ｂの一点鎖線αで示す方向に貫通し、それらの固定具４６，４７が、後述の補助部材３０の外側貫通孔３１（図１Ｂ）にも貫通する。
【００２０】
また、固定板部１３の幅方向中央部における下端には、下側突部１６（図１Ｂ）が形成される。下側突部１６には、厚み方向に貫通する第２貫通孔１７が形成される。第２貫通孔１７には、ネジなどの固定具４８（図３）が図１Ｂの一点鎖線βで示す方向に貫通し、その固定具４８が、補助部材３０の内側貫通孔３３にも貫通する。各固定具４６,４７,４８（図１Ａ、図３）は、鼻隠し板４にも貫通することで、後述のように軒樋支持具１０が鼻隠し板４に取り付けられる。
【００２１】
吊り具本体１２は、例えば、金属、または高い耐久性と強度とを有するポリカーボネートなどの樹脂により形成される。
【００２２】
図４は、補助部材３０の斜視図である。図５は、補助部材３０の正面図である。補助部材３０は、吊り具本体１２の固定板部１３の内側面（図１Ａ〜図２の右側面）に重ねた状態で吊り具本体１２と一体化させる板状の部材である。図２に示すように、補助部材３０は、鉛直方向に対する鼻隠し板４の外側面４ａの勾配の角度に合わせる為の勾配を有する。補助部材３０は、鼻隠し板４の勾配に関わらず、吊り具本体１２のアーム２０を所定方向に突出させ、軒樋５０（図１）を軒先に沿って水平に取り付けるために用いられる。
【００２３】
図４、図５に示すように、補助部材３０は、外側面である表面３０ａの幅方向両端部における、上下方向両側部分に、それぞれ上下方向に長い弾性保持片３５，３６が形成される。弾性保持片３５，３６は、前側（図２、図４の左側）に向かって幅方向内側に延びるように傾斜しており、幅方向両側の弾性保持片３５，３６で幅方向中央について対称形状である。上下両側の弾性保持片３５，３６のうち、上側の弾性保持片３５を幅方向外側に弾性的に押し広げた状態で吊り具本体１２の固定板部１３の幅方向端部を挿入する。これにより、補助部材３０の幅方向両側の弾性保持片３５により、固定板部１３の幅方向端部を弾性的に挟んで係止することができる。なお、下側の弾性保持片３６は、後述するように補助部材３０の上下方向の向きを逆にして用いる場合に、吊り具本体１２の固定板部１３を係止するために用いられる。
【００２４】
補助部材３０の表面３０ａの幅方向中間部における上下両端部には、位置決め突部３７，３８が形成される。各位置決め突部３７，３８の一方（図４、図５の上側）の位置決め突部３７により、吊り具本体１２が補助部材３０に対し上側に移動することが阻止される。これにより、吊り具本体１２が、補助部材３０により係止されて支持される。この状態で、軒樋支持具１０が形成される。２つの位置決め突部３７，３８の他方（図４、図５の下側）の位置決め突部３８、または両方により、吊り具本体１２が補助部材３０に対し上下方向に移動することが阻止されてもよい。
【００２５】
さらに補助部材３０の幅方向両側の弾性保持片３５，３６より幅方向内側に隣り合う位置には、上下方向に長い外側貫通孔３１が形成される。外側貫通孔３１は、補助部材３０のほぼ上下方向の全長に長い長孔であり、補助部材３０の厚み方向に貫通する。外側貫通孔３１には、吊り具本体１２の第１貫通孔１４，１５（図１Ｂ）を貫通した固定具４６，４７が貫通する。
【００２６】
補助部材３０の幅方向中央部には、上下に分かれて２つの内側貫通孔３２，３３が形成される。２つの内側貫通孔３２，３３のそれぞれは、補助部材３０の厚み方向に貫通する。２つの内側貫通孔３２，３３の一方（図４、図５の下側）の内側貫通孔３３は、数字の１の形状となっている。具体的には、内側貫通孔３３は、上下方向に直線状に延びる第１長孔部３３ａと、第１長孔部３３ａの上端部に接続された、第１長孔部３３ａとは異なる形状である略三角形の第２孔部３３ｂとを有する非直線形状である。第２孔部３３ｂが、第１長孔部３３ａの上端部の幅方向一方側（図５の左側）に接続されることで、内側貫通孔３３は、数字の１の形状となる。内側貫通孔３３には、吊り具本体１２の第２貫通孔１７を貫通した固定具４８（図３）が貫通する。第２孔部３３ｂは、内側貫通孔３３に固定具４８を貫通させるときに影響を受けない位置に形成することが好ましい。
【００２７】
図２に示すように、補助部材３０は、下側に向かって厚みが大きくなることにより、吊り具本体１２の固定板部１３側の表面３０ａに対し、固定板部１３と反対側の裏面３０ｂが、下側に向かって後側（図２の右側）に傾斜している。これにより、鼻隠し板４の外側面４ａが、鉛直方向に対し傾斜している場合でも、その傾斜角度に応じた裏面３０ｂの傾斜角度を有する適切な補助部材３０を用いることにより、補助部材３０の表面３０ａ、及び、この表面３０ａに配置する吊り具本体１２の固定板部１３の外側面を鉛直または略鉛直方向に配置できる。このため、吊り具本体１２のアーム２０により、軒樋５０（図１Ａ）を軒先に沿って水平に取り付けることができる。
【００２８】
なお、２つの内側貫通孔３２，３３の他方（図４、図５の上側）の内側貫通孔３２は、図１Ａ〜図３に示す軒樋支持具１０では用いられない。一方、例えば、鼻隠し板４の外側面４ａの勾配が、図２に示した場合とは逆勾配、すなわち、上側に向かって棟側に傾斜する場合には、図４、図５に示す補助部材３０が、上下方向における向きを逆にして、鼻隠し板４に配置して用いられる。この場合には、２つの内側貫通孔３２，３３の上下方向における位置が逆になり、下側に位置する内側貫通孔３２に、吊り具本体１２の第２貫通孔１７を貫通した固定具４８が貫通する。
【００２９】
上記のように鼻隠し板４の傾斜に応じて適切な補助部材３０を用いることで、軒樋５０を水平に取り付けることができる。一方、補助部材３０の裏面３０ｂの傾斜角度の違いは微小であることが多く、作業者の目視では、その違いが分かりにくい。特に、補助部材３０が透明な材質の場合、品番や文字が表示されていても、それだけでは角度違いを判別しにくく、高所作業時に初めて誤りが発覚する恐れがあるので、施工作業に手間を要する。
【００３０】
実施形態では、上記のように補助部材３０が、長孔形状のみからなる一般的な貫通孔とは異なる非直線形状の内側貫通孔３３を有するので、補助部材３０と吊り具本体１２とを組み合わせるときに、複数種類の補助部材３０から適切な補助部材３０を選択しやすくなる。具体的には、複数種類の補助部材３０として、表面３０ａに対する裏面３０ｂの傾斜角度が異なる複数種類を用意し、鼻隠し板４の傾斜に応じて複数種類の補助部材３０の候補の中から補助部材３０を選択することができる。このとき、図１Ａ〜図５に示した補助部材３０とは裏面の傾斜角度が異なる別の種類の補助部材として、２つの内側貫通孔のいずれもが、長孔形状のみからなる貫通孔を有するものを用意する。この場合に、実施形態によれば、複数種類の補助部材３０のそれぞれの内側貫通孔３２の形状を目視した場合に、内側貫通孔３３の形状の違いにより、裏面の傾斜角度が異なる補助部材３０を容易に判別できる。これにより、軒樋支持具１０の施工誤り、梱包誤りなどにつながる組み合わせ誤りを抑制できる。
【００３１】
このとき、実施形態の組み合わせ方法は、次のようにして行う。図６は、実施形態の組み合わせ方法を用いて、鼻隠し板４に軒樋支持具１０を取り付ける方法を示すフローチャートである。軒樋支持具１０の組み合わせ方法は、図６のステップＳ１０において、内側貫通孔３２，３３を含む複数種類の板状の補助部材候補の中から、補助部材３０を選択する。複数種類の補助部材候補は、表面３０ａに対する裏面３０ｂの傾斜角度に応じて、内側貫通孔３２，３３の形状が異なっている。例えば、複数種類の補助部材候補は、第１補助部材候補と、第２補助部材候補との２種類の補助部材候補を有する。
【００３２】
第１補助部材候補は、図１Ａ〜図５の軒樋支持具１０を構成する補助部材３０と同一の形状を有する。すなわち、内側貫通孔３３は、第１長孔部３３ａと第２孔部３３ｂとを有する数字の１の形状である。一方、第２補助部材候補は、図７〜図８に示す軒樋支持具１０ａを構成する別例の補助部材３０ｘと同一の形状を有する。
【００３３】
図７は、実施形態の組み合わせ方法を用いて吊り具本体１２と組み合わせた別例の補助部材３０ｘを示す斜視図である。図８は、図７に示した補助部材３０ｘと吊り具本体１２とを組み合わせて構成した軒樋支持具１０ａを示している図２に対応する図である。
【００３４】
図７〜図８に示すように、補助部材３０ｘは、表面３０ａに対する裏面３０ｂの傾斜角度が、図１Ａ〜図５に示した補助部材３０の場合より小さい。補助部材３０ｘは、図８に示すように、鼻隠し板４の外側面４ａが、鉛直方向に対し、図２に示した鼻隠し板４に比べて小さく傾斜している場合に用いられる。このとき、補助部材３０ｘの裏面３０ｂの傾斜角度が小さいものを用いることで、図２に示した場合と同様に、補助部材３０ｘの表面３０ａ、及び、この表面３０ａに配置する、吊り具本体１２の固定板部１３の外側面を、鉛直または略鉛直方向に配置できる。このため、吊り具本体１２のアーム２０により、軒樋５０（図１Ａ）を軒先に沿って水平に取り付けることができる。
【００３５】
さらに、図７〜図８の補助部材３０ｘでは、２つの内側貫通孔３２,４０のいずれもが、上下方向に延びる直線状の長孔のみからなる。上記の第２補助部材候補は、図７〜図８の補助部材３０ｘと同一の形状を有する。
【００３６】
実施形態の組み合わせ方法は、第１補助部材候補と、第２補助部材候補との２種類の補助部材候補を有する複数種類の補助部材候補から、補助部材３０，３０ｘを選択する。このとき、第１補助部材候補では、内側貫通孔３３が１の形状を有し、第２補助部材候補では、内側貫通孔３３と対応する位置の内側貫通孔４０が直線状の長孔のみからなる。これにより、軒樋支持具の取り付け作業を行う作業者は、一目で補助部材候補の種類を判別できる。
【００３７】
例えば、第１補助部材候補は、鼻隠し板４の外側面４ａの基準勾配が１寸、すなわち、上下方向長さが１０寸である上下方向両端で、内外方向（図１Ａの左右方向）についての位置が１寸異なるように傾斜したものに用いる。このとき、第１補助部材候補に対応する補助部材３０の内側貫通孔３３（図４、図５）は、１寸の「１」を表す形状としても用いられる。
【００３８】
第２補助部材候補は、鼻隠し板４の外側面４ａの基準勾配が０．５寸、すなわち、上下方向長さが１０寸である上下方向両端で、内外方向（図８の左右方向）についての位置が０．５寸異なるように傾斜したものに用いる。
【００３９】
図６に戻って、ステップＳ１２では、選択した補助部材３０，３０ｘに、吊り具本体１２の固定板部１３を重ねた状態で弾性保持片３５により係合支持し一体化させて、軒樋支持具１０,１０ａを形成する。
【００４０】
次いで、ステップＳ１４において、軒樋支持具１０の補助部材３０，３０ｘ及び鼻隠し板４を重ねた状態で、固定具４６，４７，４８を吊り具本体１２、補助部材３０，３０ｘ及び鼻隠し板４に貫通させて、軒樋支持具１０,１０ａを鼻隠し板４に取り付ける。
【００４１】
また、複数種類の補助部材候補、及び補助部材３０，３０ｘは、ＡＳ樹脂や、ポリカーボネート樹脂など、透明または半透明の樹脂材料等の材料により形成されてもよい。
【００４２】
上記の組み合わせ方法によれば、複数種類の補助部材候補の内側貫通孔３３,４０の形状を目視することで、裏面３０ｂの傾斜角度が異なる補助部材候補を容易に判別できる。これにより、軒樋支持具１０,１０ａの組み合わせ誤りを抑制できる。
【００４３】
また、複数種類の補助部材候補及び補助部材３０，３０ｘに、表面３０ａに対する裏面３０ｂの傾斜角度に応じた、品番や文字を、補助部材候補及び補助部材３０，３０ｘに表示することもできる。一方、この場合に、補助部材候補及び補助部材が透明または半透明の材料により形成されると、品番や文字が見えにくくなる。これにより、品番や文字だけでは、表面３０ａに対する裏面３０ｂの傾斜角度の違いを判別しにくくなる。このため、補助部材候補及び補助部材が透明または半透明の材料により形成される場合には、実施形態のように、内側貫通孔３３,４０の形状により、表面３０ａに対する裏面３０ｂの傾斜角度を判別することによる効果が顕著になる。
【００４４】
なお、複数種類の補助部材候補は、第１補助部材候補及び第２補助部材候補以外の、他の形状の内側貫通孔を有する第３補助部材候補を含んでいてもよい。例えば、第３補助部材候補の内側貫通孔は、図９または図１０に示す実施形態の別例における補助部材の内側貫通孔と同じ形状としてもよい。
【００４５】
図９は、実施形態の別例において、補助部材に形成された内側貫通孔４１を示す図である。図９に示す例では、内側貫通孔４１は、上下方向に延びる第１長孔部４１ａと、第１長孔部４１ａの上端部に接続された、第１長孔部４１ａの幅より大きく、かつ、第１長孔部４１ａとは異なる形状である長円形の第２孔部４１ｂとを有する非直線形状である。図９では、第２孔部４１ｂを長円形としているが、円形、または三角形、正方形等の矩形等としてもよい。
【００４６】
図１０は、実施形態の別例において、補助部材に形成された内側貫通孔４２を示す図である。図１０に示す例では、内側貫通孔４２は、上下方向に長い第１長孔部４２ａと、第１長孔部４２ａの上端部に接続された、第１長孔部４２ａの方向とは異なる方向である直交する方向に直線状に延びる第２長孔部４２ｂとを有するＴ字形状である。
【００４７】
複数種類の補助部材候補は、図９の内側貫通孔４１と同じ形状の内側貫通孔を有する第３補助部材候補と、図１０の内側貫通孔４２と同じ形状の内側貫通孔を有する第４補助部材候補とを含んでもよい。勿論、複数種類の補助部材候補は、第１〜第４補助部材候補の内側貫通孔とは異なる非直線形状の内側貫通孔を有する補助部材候補を含んでもよい。補助部材が、図４及び図５、図９、図１０以外の非直線形状の内側貫通孔を有する構成としてもよい。
【００４８】
図１１は、実施形態の別例の軒樋支持具１０ｂにおいて、図３に対応する図である。図１１に示す構成では、吊り具本体１２ａの下端部に、幅方向（図１１の左右方向）の長さが図３の下側突部１６より大きい下側突部１６ａが形成される。図１１に示す例では、補助部材３０の２つの内側貫通孔３２，３３のいずれにも固定具が貫通しない。吊り具本体１２ａ及び補助部材３０は、吊り具本体１２ａの外側貫通孔３１を貫通した固定具４６，４７，４９により、鼻隠し板４（図１Ａ）に取り付けられる。本例の構成においてその他の構成及び作用は、図１Ａ〜図８の実施形態と同様である。
【符号の説明】
【００４９】
４  鼻隠し板、４ａ  外側面、５  軒先構造、１０,１０ａ、１０ｂ  軒樋支持具、１２,１２ａ  吊り具本体、１３  固定板部、１４，１５  第１貫通孔、１６,１６ａ  下側突部、１７  第２貫通孔、２０  アーム、２１  傾斜部、２２  前側受け部、２３  突部、２４  後側受け部、３０，３０ｘ  補助部材、３０ａ  表面、３０ｂ  裏面、３１  外側貫通孔、３２,３３  内側貫通孔、３３ａ  第１長孔部、３３ｂ  第２孔部、３５，３６  弾性支持片、３７，３８  位置決め突部、４０，４１，４２  内側貫通孔。
【図１Ａ】
2019206885.tif 000003
【図１Ｂ】
2019206885.tif 000004
【図２】
2019206885.tif 000005
【図３】
2019206885.tif 000006
【図４】
2019206885.tif 000007
【図５】
2019206885.tif 000008
【図６】
2019206885.tif 000009
【図７】
2019206885.tif 000010
【図８】
2019206885.tif 000011
【図９】
2019206885.tif 000012
【図１０】
2019206885.tif 000013
【図１１】
2019206885.tif 000014